(57)【要約】【課題】薄暗い取り付け環境の中で、固定されたケースに対する蓋の開動作をワンタッチ操作で容易に手際よく行うことができるケースと蓋との取付構造を提供すること。【解決手段】蓋１の対応する一側部にそれぞれ設けた係合部３と、蓋１における他側部の外側に一体に垂下されて下部がケース２内方に弾性変形可能な弾性片４と、この弾性片４の外側に一体に突設形成された外向き係合フック４ａと、ケース２における外向き係合フック４ａとの対応位置に一体形成された内向き係合フック５ａとを備えており、ケース２への蓋１取り付け時に内向き係合フック５ａが外向き係合フック４ａを乗り越えて上方向に移動するに伴って弾性片４をケース２内方に漸次弾性変形させ、蓋１の取り付け完了時に弾性片４の弾性復元力で外向き係合フック４ａが内向き係合フック５ａにロックするようにさせる。【選択図】　図１
2004146741.tif 000002
【特許請求の範囲】
【請求項１】
蓋をケースの上側開口部に取りつけるケースと蓋との取付構造であって、蓋の対応する一側部にそれぞれ設けた係合部と、蓋における他側部の外側に一体に垂下されて下部が蓋内方に弾性変形可能な弾性片と、この弾性片の外側に一体に突設形成された外向き係合フックと、ケースにおける外向き係合フックとの対応位置に一体形成された内向き係合フックとを備え、弾性片における外向き係合フックよりも下部を外部から押圧可能な押圧片となし、ケースへの蓋取り付け時に内向き係合フックが外向き係合フックを乗り越えて上方向に移動するに伴って弾性片をケース内方に漸次弾性変形させ、蓋の取り付け完了時に弾性片の弾性復元力で外向き係合フックが内向き係合フックにロックするようにさせ、押圧片を外部からケース内方へ押圧変形させることによりロック解除するようなしたことを特徴とするケースと蓋との取付構造。
【請求項２】
押圧片の外側に手指を収納可能な凹所を設けてなることを特徴とする請求項１記載のケースと蓋との取付構造。
【請求項３】
内向き係合フックの外向き係合フック乗り越え時に、弾性片の弾性復元力により蓋に上方向への力を発生させる方向に傾斜したテーパ面を内向き係合フックと外向き係合フックとの少なくとも一方に設けてなることを特徴とする請求項１乃至２記載のケースと蓋との取付構造。
【発明の詳細な説明】
【０００１】
【発明の属する技術分野】
本発明は、例えば空調用ダクト内に挿入される温湿度センサ等の挿入型検出器に適用されるケースと蓋との取付構造に関し、特にダクトにケースを固定した後に外部への電気配線をケース内に収納した接続用のコネクタ部に接続施工されるケースと蓋との取付構造に関する。
【０００２】
【従来の技術】
従来、図１１に示すようなケースと蓋との取付構造が提案されている。このケースと蓋との取付構造は、ケース２２に蓋引掛用の被係合部と外向き係合爪２７を有する弾性片部２４とを設けるとともに、蓋２１には被係合部に係脱可能な係合部と外向き係合爪２７に係脱可能な内向き係合爪２５とを設け、外向き係合爪２７と内向き係合爪２５には蓋２１の押し嵌め時に摺接して弾性片部２４を弾性変形させるテーパ面を形成したものである。（特開平８−１６０１７３号公報参照）
【０００３】
このようなケースと蓋との取付構造では、ケース２２の被係合部に蓋２１の係合部を引掛けた状態で蓋２１を閉じると、蓋２１の内向き係合爪２５がケース２２の外向き係合爪２７に乗り上げてそれらのテーパ面相互が摺接し、この摺接作用により弾性片部２４が弾性変形し、内向き係合２５爪が外向き係合爪２７を乗り越えると弾性片部２４の弾性復元力で外向き係合爪２７が内向き係合爪２５にロックされる。
【０００４】
また、弾性片部２４を外部から押圧すると、弾性片部２４と一体の外向き係合爪２７が内向き係合爪２５とのロックを解除されて蓋間に介設したパッキンの弾発力で蓋開方向に移動する。そしてこの移動により、内向き係合爪２５が外向き係合爪２７に乗り上げてそれらのテーパ面が摺接する。このとき、テーパ面相互の摺接作用とパッキンの弾性復元力とによって蓋２１が開動作する。したがって、蓋２１の開閉をネジやドライバー等の工具を必要とせずに手際よく容易に行うことができる。
【０００５】
【特許文献１】
特開平８−１６０１７３号公報
【０００６】
【発明が解決しようとする課題】
しかしながら上記ケースと蓋との取付構造では、ケース２２が空調用ダクト内に挿入される温湿度センサ等の挿入型検出器に適用され、ケース２２がダクトに固定された状態のときに外部配線のために蓋２１を上方へ開くような場合、弾性片部２４がケース２２側にあるため、テーパ面相互の摺接作用とパッキンの弾性復元力が弱いときなど、弾性片部２４を外部から指などで押圧しても蓋２１が完全に開動作しないことがあり、このため、蓋２１を開くために指で弾性片部２４を押圧した状態で蓋２１を他の指で掴んで持ち上げるというめんどうな作業を行う必要があるという問題がある。
【０００７】
本発明は、上記事由に鑑みてなされたものであり、その目的は、ダクト等にケースを固定した後に外部への電気配線をケース内に収納した接続用のコネクタ部に接続施工するときなど、薄暗い取り付け環境の中で、固定されたケースに対する蓋の開動作をワンタッチ操作で容易に手際よく行うことができるケースと蓋との取付構造を提供することにある。
【０００８】
【課題を解決するための手段】
請求項１記載の発明は、蓋をケースの上側開口部に取りつけるケースと蓋との取付構造であって、蓋の対応する一側部にそれぞれ設けた係合部と、蓋における他側部の外側に一体に垂下されて下部が蓋内方に弾性変形可能な弾性片と、この弾性片の外側に一体に突設形成された外向き係合フックと、ケースにおける外向き係合フックとの対応位置に一体形成された内向き係合フックとを備え、弾性片における外向き係合フックよりも下部を外部から押圧可能な押圧片となし、ケースへの蓋取り付け時に内向き係合フックが外向き係合フックを乗り越えて上方向に移動するに伴って弾性片をケース内方に漸次弾性変形させ、蓋の取り付け完了時に弾性片の弾性復元力で外向き係合フックが内向き係合フックにロックするようにさせ、押圧片を外部からケース内方へ押圧変形させることによりロック解除するようなしたことを特徴として構成している。
【０００９】
このようなケースと蓋との取付構造では、ケースの係合部に蓋の係合部を引掛けた状態で蓋を閉じると、蓋の内向き係合フックがケースの外向き係合フックを乗り越えてそれらが摺接し、この摺接作用で外向き係合フックと一体の弾性片がケース内方に漸次弾性変形し、内向き係合フックが外向き係合フックを通過した蓋の取り付け完了時には、弾性片の弾性復元力で外向き係合フックが内向き係合フックにロックする。そして、弾性片における外向き係合フックよりも下部の押圧片を外部からケース内方へ押圧変形させることによりロック解除するとともに、この状態で押圧片を上方へ持ち上げることにより、ケースに対して蓋を開動作させる。
【００１０】
また、請求項２記載の発明は、請求項１記載の発明において、押圧片の外側に手指を収納可能な凹所を設けてなることを特徴として構成している。
【００１１】
このようなケースと蓋との取付構造では、押圧片の凹所に手指を収納してケース内方に押圧することにより、押圧片から手指が外れることを防止して容易に蓋の開作業を行うことができる。
【００１２】
また、請求項３記載の発明は、請求項１乃至２記載の発明において、内向き係合フックの外向き係合フック乗り越え時に、弾性片の弾性復元力により蓋に上方向への力を発生させる方向に傾斜したテーパ面を内向き係合フックと外向き係合フックとのどちらか一方に設けてなることを特徴として構成している。
【００１３】
このようなケースと蓋との取付構造では、内向き係合フックと外向き係合フックとのどちらか一方に設けたテーパ面により、内向き係合フックの外向き係合フック乗り越え時に、弾性片の弾性復元力により蓋に上方向への力を発生させるため、押圧片を外部からケース内方へ押圧変形させたときにこの上方向への力により容易に蓋の開作業を行うことができる。
【００１４】
【発明の実施の形態】
以下、本発明の実施形態のケースと蓋との取付構造を図１乃至図１０に基づいて説明する。
【００１５】
図１は本発明の実施形態のケースと蓋との取付構造を示す平面図、図２は図１のＡ−Ａ断面図、図３は図１のＢ−Ｂ断面図、図４は図１のＣ−Ｃ断面図、図５乃至図７はそれぞれ異なる方向から見た図１の側面図、図８は図１の下面図である。また図９は同上のケースと蓋との取付構造を示す斜視図、図１０はケース２の開動作を示す要部の断面図である。
【００１６】
図１乃至図１０に示すように、このケースと蓋との取付構造は、蓋１をケース２の上側開口部に取りつけるケースと蓋との取付構造であり、蓋１の対応する一側部にそれぞれ設けた係合部３と、蓋１における他側部の外側に一体に垂下されて下部がケース２内方に弾性変形可能な弾性片４と、この弾性片４の外側に一体に突設形成された外向き係合フック４ａと、ケース２における外向き係合フック４ａとの対応位置に一体形成された内向き係合フック５ａとを備えており、弾性片４における外向き係合フック４ａよりも下部を外部から押圧可能な押圧片４ｂとなし、ケース２への蓋１取り付け時に内向き係合フック５ａが外向き係合フック４ａを乗り越えて上方向に移動するに伴って弾性片４をケース２内方に漸次弾性変形させ、蓋１の取り付け完了時に弾性片４の弾性復元力で外向き係合フック４ａが内向き係合フック５ａにロックするようにさせ、押圧片４ｂを外部からケース２内方へ押圧変形させることによりロック解除するようにしている。また、押圧片４ｂの外側に手指を収納可能な凹所６を設けている。さらに、内向き係合フック５ａの外向き係合フック４ａ乗り越え時に、弾性片４の弾性復元力により蓋１に上方向への力を発生させる方向に傾斜したテーパ面７を内向き係合フック５ａと外向き係合フック４ａとのどちらか一方に設けている。
【００１７】
このケースと蓋との取付構造は、例えば空調用ダクト（図示せず）内に挿入される温湿度センサ等の挿入型検出器に適用され、ダクトにケース２を固定した後に外部への電気配線をケース２内に収納した接続用のコネクタ部に接続施工されるものである。この場合、ケース２は、温度センサや湿度センサ９を取り付け保護する保護管８等が接続され、温度センサや湿度センサ９に接続される端子や計測回路基板１３を内蔵するようになっている。また、このケース２は上側が開口しており、開口部にはゴム製のパッキン１４を介して蓋１が密閉状態に取り付けられるようになっている。以下にそれらの具体的構成について説明する。
【００１８】
蓋１は、略平板状の上板１ａと上板１ａ周縁に垂下された周壁部１ｂとから形成され、周壁部１ｂ下面の内側にパッキン１４圧縮用凸部が周設されている。一側部の左右側にはケース２引掛用の係合部３が一体に形成され、反対側の他側部の中央にはケース２固定用の弾性片４が一体に形成されている。係合部３は、周壁部１ｂ外側の左右側に設けた切欠部の奥面に外方に向けて突設された突片状に形成されている。
【００１９】
弾性片４は、周壁部１ｂ外側の中央部に設けた切欠部内に上板１ａ側端から板状に垂設され、先端が周壁部１ｂ下端よりも下方に突出して形成されている。この弾性片４は、切欠部奥面との間に隙間を設けて形成され、蓋１中央方向に向って弾性変形可能となっている。この弾性片４には上下方向略中央の周壁部１ｂ下端よりもやや下方位置に外向き係合爪が一体に突設形成されている。この外向き係合爪は縦断面視略略三角形状に形成され、弾性片４表面と略直角な上面とこの上面の先端から下方に傾斜したテーパ面７とを有している。このテーパ面７は鏡面加工により形成されている。また、弾性片４の外向き係合爪よりも下部を押圧片４ｂとしており、この押圧片４ｂ外面に人の指がちょうど収まる程度の凹所６が形成されている。
【００２０】
一方ケース２は、上側開口の略箱状に形成され、底板２ａとこの底板２ａの四方周縁に一体に立設された側板とから形成されている。側板の上端部は全周に亘って外方に拡幅されて周縁部２ｂを形成し、この周縁部２ｂ上面の内側における蓋１のパッキン１４圧縮用凸部と対応する位置にはパッキン１４収納凹部が周設されている。一側周縁部２ｂにおける左右側の蓋１の係合部３と対応する位置には蓋１引掛用の被係合部１５が一体に形成され、反対側の周縁部２ｂの中央には外向き係合フック４ａと係合して蓋１をケース２に固定する内向き係合フック５ａが一体に形成されている。被係合部１５は、周縁部２ｂ外側の左右側に立設された内側開口の箱状に形成され、蓋１の係合部３を内側開口より内部に収納してケース２に対する蓋１の位置決め係合ができるようになっている。
【００２１】
周縁部２ｂ外側の蓋１の弾性片４と対応する位置に弾性片４が貫通する固定孔が設けられ、この固定孔の外側片５が内向き係合フック５ａを形成している。内向き係合フック５ａは、内面が上端から内側に傾斜したテーパ面７が鏡面加工により形成されている。このテーパ面７は弾性片４の外向き係合爪におけるテーパ面７と同一の角度で同一方向に傾斜している。
【００２２】
ここでケース２の内向き係合爪は、ケース２に対する蓋１の押し嵌め時に蓋１の外向き係合爪に乗り上げ、外向き係合爪のテーパ面７に内向き係合爪のテーパ面７が摺接してケース２の閉じ方向に移動することにより、外向き係合爪を一体に有する弾性片４が内側に弾性変形するようになっている。そしてケース２の内向き係合爪が蓋１の外向き係合爪をケース２閉じ方向に通過した時点で、弾性片４の弾性復元力で弾性片４と一体の外向き係合爪が内向き係合爪に係合ロックされるようになっている。
【００２３】
そのロック状態において、弾性片４は外部からの人為的押圧操作で外向き係合爪と内向き係合爪とのロック解除方向に弾性変形させることができるようになっている。
【００２４】
次にこのケースと蓋との取付構造を有する装置を空調用ダクト内に挿入される温湿度計の挿入型検出器を例示して以下に説明する。
【００２５】
この挿入型検出器は、温度や湿度の計測回路基板１３等をケース２に内蔵した計測器本体と、この計測器本体のケース２に垂下された保護管８と、保護管８の下端に設けた温度センサ及び湿度センサ９と、保護管８に取り付けられダクトの上面に保護管８を取り付けて検出器をダクトに固定する取付具１０とから構成されている。
【００２６】
計測回路基板１３は温度センサ及び湿度センサ９に接続されて温度センサ及び湿度センサ９に電源を供給するとともに、各センサの出力信号が入力されて増幅・整形され、空調器の温度制御装置のマイコンに検出出力が送られるものである。ケース２内部と保護管８内路とは連通しており、計測回路基板１３と温度センサ及び湿度センサ９とを接続する内部接続線は保護管８内部に収容されている。またケース２の側板に設けた開口部に連通して外部接続管が設けられ、計測回路基板１３の温湿度出力は外部接続管に収容された外部接続線を介して温度制御装置に接続されている。この外部接続線及び内部接続線は取付ネジによって計測回路基板１３上のコネクタ部の所定位置に固定されることにより、計測回路基板１３に電気接続されるようになっている。この内部接続線と計測回路基板１３との接続は、検出器のダクト取付施工前に行われるが、外部接続線と計測回路基板１３との接続は、検出器のダクト取付施工後に行われるようになっている。
【００２７】
取付具１０は、ダクト上面にネジ固定される取付プレート１０ｂとこの取付プレート１０ｂの上部に一体に設けられた管取付部１１とから構成されている。取付プレート１０ｂは略矩形板状に形成され、中央に保護管８外径よりもやや大きい取付孔と、四角に取付ネジの脚部が貫通する貫通孔とが設けられている。また取付プレート１０ｂ下面のダクト上面に接する部分にはゴムシートなどの弾力を有するものが設けられて取付プレート１０ｂとダクトとの密閉性を保持できるようにしている。管取付部１１は、取付孔に連通して外径が取付孔とほぼ同寸の固定孔を有する平面視略Ｃ字型で略円筒状の取付部本体と、この本体の対向する開口両端より側方に対向して延設された固定板１２とから形成されている。対向する両固定板１２の対応する中央部にはそれぞれ貫通孔が設けられ、この両貫通孔にボルト脚部を貫通させてナットにより締め付けて両固定板１２を近接させることにより、取付部本体の固定孔の大きさを縮小させ、固定孔を貫通する保護管８を圧接固定するようにしている。このボルトナット固定を緩めることにより、弾性復元力で固定孔が広がって圧接状態を緩め、保護管８を貫通させた状態で取付プレート１０ｂが上下にスライド可能としている。この取付プレート１０ｂの位置によって保護管８先端の温湿度センサのダクト内の位置決めを行っており、ダクト径が大きいときは取付プレート１０ｂを計測器本体側に近いところに、ダクト径が小さいときは取付プレート１０ｂを温湿度センサ側に近いところに配置し、温湿度センサが取りつけるダクトの大きさに関わらず温湿度検出の誤差が少ないダクト中央部に配置するようにしている。
【００２８】
温度センサや湿度センサ９としては周知のものを用い、それぞれ温度や湿度に応じた所定の電圧出力値を内部接続線を介して計測回路基板１３に出力するようにしている。
【００２９】
このような挿入型検出器のダクトへの取り付け方法について以下に説明する。まずあらかじめダクトの上面の挿入型検出器取り付け位置に保護管８挿入用の貫通孔、および取付具１０の取付プレート１０ｂの貫通孔と対応する位置に貫通孔をそれぞれ設けておく。次に、挿入型検出器を外部接続線が接続されていない状態にしておき、ダクト径に合わせて温度センサ及び湿度センサ９がダクト中央部付近に配置されるよう、取付プレート１０ｂを保護管８の適切な位置に配置し、管取付部１１の両固定板１２をボルトナットにより締め付け、取付具１０を保護管８に固定する。次にダクトの保護管８挿入用の貫通孔に温湿度センサ及び保護管８を挿入し、取付プレート１０ｂとダクトの各対応する貫通孔を位置合わせして取付ネジにより、取付プレート１０ｂをダクト上面に固定する。
【００３０】
次に、上記のように取り付けた挿入型検出器に外部接続線を接続する方法について以下に説明する。まず図１０（ａ）に示すように、蓋１のロック状態においては、蓋１の係合部３とケース２の被係合部１５とが係合し、蓋１の弾性片４がケース２の固定孔を上方より貫通した状態で弾性片４の外向き係合フック４ａとケース２の内向き係合フック５ａとが係合している。このとき蓋１のパッキン１４圧縮用凸部がケース２のパッキン１４収納凹部に収容されたパッキン１４を押圧して蓋１を密閉状態に保持している。次に（ｂ）に示すように、手の平を上に向けた状態で蓋１の凹所６に例えばひとさし指の腹を押し当てて押圧片４ｂをケース２内方に押圧する。このとき、外向き係合フック４ａと内向き係合フック５ａとの係合が外れて弾性片４は固定孔内部で内方に移動する。このとき、パッキン１４の弾性復元力によって蓋１は上方の開方向に押圧されて蓋１が開状態となる。さらに（ｃ）に示すように、ひとさし指で押圧片４ｂを上方に持ち上げることによって弾性片４が固定孔内部を上方へ移動して蓋１は開方向に大きく開くことになる。さらに、この状態で他方の手で蓋１を持ち上げるか、一旦弾性片４を押圧している指を離してから蓋１を掴んで持ち上げることにより、係合部３と被係合部１５との係合が外れて蓋１をケース２から取り外すことができる。
【００３１】
そしてこの状態で外部接続管内に収容された外部接続線をケース２の開口部から内部に差し入れ、外部接続線先端の被覆部を計測回路基板１３上のコネクタ部の所定位置に取り付けネジでネジ固定する。さらに、外部接続管の先端螺着部をケース２の開口部に螺着する。この状態で以下のように蓋１をケース２に取り付ける。まず、ケース２の被係合部１５に蓋１の係合部３を挿入して引掛け係合させる。この状態で蓋１を閉じると、ケース２のパッキン１４収納凹部でパッキン１４が漸次圧縮されるとともに、蓋１の弾性片４下端部がケース２の内向き係合フック５ａのテーパ面７に当接する。さらに蓋１を閉じ方向に押圧すると、弾性片４の下端、押圧片４ｂ外面及びテーパ面７が内向き係合フック５ａのテーパ面７に沿って摺動し、ついには外向き係合フック４ａが内向き係合フック５ａに乗り上げる。このとき、弾性片４と内向き係合フック５ａとの摺接に伴って弾性片４は内方に弾性変形する。次に外向き係合フック４ａの突端が内向き係合フック５ａの突端を閉じ方向に乗り越えると、弾性片４の弾性復元力により外向き係合フック４ａが内向き係合フック５ａに係合してロックされる。
【００３２】
これにより蓋１はパッキン１４の介在により密着性および防塵・防滴性を確保できる。
【００３３】
このようなケースと蓋との取付構造では、ケース２の係合部３に蓋１の係合部３を引掛けた状態で蓋１を閉じると、蓋１の内向き係合フック５ａがケース２の外向き係合フック４ａを乗り越えてそれらが摺接し、この摺接作用で外向き係合フック４ａと一体の弾性片４がケース２内方に漸次弾性変形し、内向き係合フック５ａが外向き係合フック４ａを通過した蓋１の取り付け完了時には、弾性片４の弾性復元力で外向き係合フック４ａが内向き係合フック５ａにロックする。そして、弾性片４における外向き係合フック４ａよりも下部の押圧片４ｂを外部からケース２内方へ押圧変形させることによりロック解除するとともに、この状態で押圧片４ｂを上方へ持ち上げることにより、ケース２に対して蓋１を開動作させる。
【００３４】
したがって、押圧片４ｂをケース２内方に押圧した状態で上方に持ち上げることにより、ケース２に対する蓋１の開動作を指一本のワンタッチ操作で容易に手際よく行うことができる。特にダクト等にケース２を固定した後に外部への電気配線をケース２内に収納した接続用のコネクタ部に接続施工するときなど、薄暗い取り付け環境の中でも容易に行うことができる。
【００３５】
また、押圧片４ｂの凹所６に手指を収納してケース２内方に押圧することにより、押圧片４ｂから手指が外れることを防止して容易に蓋１の開作業を行うことができる。また、内向き係合フック５ａの外向き係合フック４ａ乗り越え時に、弾性片４の弾性復元力により蓋１に上方向への力を発生させるため、押圧片４ｂを外部からケース２内方へ押圧変形させたときにこの上方向への力により容易に蓋１の開作業を行うことができる。さらに、外向き係合フック４ａが内向き係合フック５ａの両テーパ面７が摺接しているときに、不測にも蓋１の押しこみ操作を解除すると、弾性片４の弾性復元力とパッキン１４の弾発力によって蓋１は自然に開動作を行うことになり、外向き係合フック４ａと内向き係合フック５ａとが完全に係合していない状態のときは蓋１が開動作するため、蓋１の閉じ状態を把握することができる。これにより、ケース２と蓋１が取付ミスがないようにできる。
【００３６】
【発明の効果】
請求項１の発明では、弾性片における外向き係合フックよりも下部の押圧片を外部からケース内方へ押圧変形させることによりロック解除するとともに、この状態で押圧片を上方へ持ち上げることにより、ケースに対して蓋を開動作させる。
【００３７】
したがって、押圧片をケース内方に押圧した状態で上方に持ち上げることにより、ケースに対する蓋の開動作を指一本のワンタッチ操作で容易に手際よく行うことができる。特にダクト等にケースを固定した後に外部への電気配線をケース内に収納した接続用のコネクタ部に接続施工するときなど、薄暗い取り付け環境の中でも容易に行うことができる。
【００３８】
また、請求項２の発明では、また、押圧片の凹所に手指を収納してケース内方に押圧することにより、押圧片から手指が外れることを防止して容易に蓋の開作業を行うことができる。
【００３９】
また、請求項３の発明では、内向き係合フックの外向き係合フック乗り越え時に、弾性片の弾性復元力により蓋に上方向への力を発生させるため、押圧片を外部からケース内方へ押圧変形させたときにこの上方向への力により容易に蓋の開作業を行うことができる。さらに、外向き係合フックが内向き係合フックの両テーパ面が摺接しているときに、不測にも蓋の押しこみ操作を解除すると、弾性片の弾性復元力とパッキンの弾発力によって蓋は自然に開動作を行うことになり、外向き係合フックと内向き係合フックとが完全に係合していない状態のときは蓋が開動作するため、蓋の閉じ状態を把握することができる。
【図面の簡単な説明】
【図１】本発明の実施形態のケースと蓋との取付構造を示す平面図である。
【図２】同上のケースと蓋との取付構造を示すＡ−Ａ断面図である。
【図３】同上のケースと蓋との取付構造を示すＢ−Ｂ断面図である。
【図４】同上のケースと蓋との取付構造を示すＣ−Ｃ断面図である。
【図５】同上のケースと蓋との取付構造を示す側面図である。
【図６】同上のケースと蓋との取付構造を示す側面図である。
【図７】同上のケースと蓋との取付構造を示す側面図である。
【図８】同上のケースと蓋との取付構造を示す下面図である。
【図９】同上のケースと蓋との取付構造を示す斜視図である。
【図１０】同上のケースと蓋との取付構造におけるケースの開動作を示す要部の断面図である。
【図１１】従来のケースと蓋との取付構造を要部の断面図である。
【符号の説明】
１　　蓋
１ａ　　上板
１ｂ　　周壁部
２　　ケース
２ａ　　底板
２ｂ　　周縁部
２ｃ　　保護管接続用開口部
２ｄ　　外部接続管用開口部
２ｅ　　回路基板固定ボス
３　　係合部
４　　弾性片
４ａ　　外向き係合フック
４ｂ　　押圧片
５　　外側片
５ａ　　内向き係合フック
６　　凹所
７　　テーパ面
８　　保護管
９　　温度センサ（湿度センサ）
１０　　取付具
１０ａ　　ネジ孔
１０ｂ　　取付プレート
１１　　管取付部
１２　　固定板
１３　　計測回路基板
１４　　パッキン
１５　　被係合部
２１　　蓋
２２　　ケース
２３　　係合部
２４　　弾性片部
２５　　内向き係合爪
２６　　開口部
２７　　外向き係合爪
【図１】
2004146741.tif 000003
【図２】
2004146741.tif 000004
【図３】
2004146741.tif 000005
【図４】
2004146741.tif 000006
【図５】
2004146741.tif 000007
【図６】
2004146741.tif 000008
【図７】
2004146741.tif 000009
【図８】
2004146741.tif 000010
【図９】
2004146741.tif 000011
【図１０】
2004146741.tif 000012
【図１１】
2004146741.tif 000013